(57)【要約】  通信がすでに第１のネットワークに存在しない場合に、第２のネットワーク（１０２）を介して第１のネットワーク（１０３）内で情報を更新する方法と装置である。動作の際、第１のネットワークが、第１のネットワークによっては返答されない、ＰＳＴＮ（１０８メッセージ）を介してアクセスされる。コールされた番号と発呼者の識別情報を基に、第１のネットワークがそれのシステム情報を更新する。
2007523575.tif 000002
【特許請求の範囲】
【請求項１】
通信システム内でメッセージ情報を更新する方法であって、
第１のネットワーク上で、短いメッセージサービス（ＳＭＳ）のメッセージ、ｅ‐メール、ＩＰピン、データコール、ウェブ要求、マルチメディア・メッセージ、プッシュ・ツー・トーク・コール、およびコール警報メッセージからなる群から得られたメッセージを受信する工程と、
該メッセージから識別情報を決定する工程と、
該識別情報を特定の移動機器と関連付ける工程と、
受信されたメッセージのアドレスを基に特定の移動機器の場所情報を更新する工程と、
からなる方法。
【請求項２】
前記メッセージを受信する工程が、第１のネットワーク上でメッセージを受信し、同メッセージを第２のネットワークを使用して配送する工程からなる請求項１に記載の方法。
【請求項３】
前記メッセージを受信する工程が、無線ローカルエリアネットワーク（ＷＬＡＮ）上でメッセージを受信し、同メッセージを広域ネットワーク（ＷＡＮ）を使用して配送する工程からなる請求項１に記載の方法。
【請求項４】
通信システム内で移動機器の属性を更新する方法であって、
電話のコールを受信する工程と、
同電話のコールから識別情報を決定する工程と、
同識別情報を特定の移動機器に関連付ける工程と、
受信された電話のコールを接続せずに特定の移動機器の属性を更新する工程と、
からなる方法。
【請求項５】
前記属性を更新する工程が、特定の移動機器のマルチモード位置を更新する工程からなる請求項４に記載の方法。
【請求項６】
前記電話のコールを受信する工程が、第１のネットワーク上で電話のコールを受信し、同電話のコールを第２のネットワークを使用して配送する工程からなる請求項４に記載の方法。
【請求項７】
前記前記電話のコールを受信する工程が、無線ローカルエリアネットワーク（ＷＬＡＮ）上で電話のコールを受信し、同電話のコールを広域ネットワーク（ＷＡＮ）から配送する工程からなる請求項１に記載の方法。
【請求項８】
移動機器の位置情報からなる位置データベースと、
特定の移動機器へ発呼者の識別情報マッピングするマッピング・データベースと、
移動機器からコールを受信し、該移動機器に発呼者の識別情報を関連付けるマッピング・データベースへアクセスし、コールと関連付けを基に位置データベース更新する、移動管理装置と、  
を含む装置。
【請求項９】
短いメッセージサービス（ＳＭＳ）、ｅ‐メール、ＩＰピン、データコール、ウェブ要求、マルチメディア・メッセージ、およびプッシュ・ツー・トーク・コール、からなる群から得られたコールからなる請求項８に記載の装置。
【請求項１０】
無線ローカルエリアネットワーク（ＷＬＡＮ）上でコールを受信し、同電話のコールを広域ネットワーク（ＷＡＮ）を使用して配送する請求項８に記載の装置。
【発明の詳細な説明】
【技術分野】
【０００１】
本発明は、通信システム内での情報の更新に関し、特には、通信システム内で位置情報を更新する方法と装置に関する。
【背景技術】
【０００２】
セルラ電話は、ＬＡＮ内からのコールを発信／受信する時のＬＡＮの能力を利用して発展してきた。例えば、モトローラ（Ｍｏｔｏｒｏｌａ）社は、無線ＬＡＮ（ＷＬＡＮ）のプロトコルとセルラのプロトコル（例えば、ＧＳＭ，ＣＤＭＡ、…他）との両方を利用して動作するデュアルモード電話を開発している。ユーザのＷＬＡＮ内では、発信／受信のコールにはＷＬＡＮが利用され、ユーザのＷＬＡＮ外では、発信／受信のコールには広域ネットワーク（ＷＡＮ）（好ましくはセルラネットワーク）が利用される。
【０００３】
ＬＡＮとＷＡＮとの間を移動する際に通話が途切れがないことが必要である。途切れのない移動のためには、電話の位置が明確でなければならない。ＷＬＡＮのカバー範囲外の時に、ＷＬＡＮへのすべてのコールはユーザの電話へ適切に送られることが保証されなければならない。したがって、ＷＬＡＮからＷＡＮへのハンドオーバーに先立ってすべての位置更新がされなければならない。なぜならば、大多数のＷＬＡＮネットワーク構成では、ＷＡＮへのハンドオフが一旦なされると、ＷＬＡＮのカバー範囲での位置のデータベースへの位置更新の搬送に依存できないからである。
【発明の開示】
【発明が解決しようとする課題】
【０００４】
例えば、局所的なＲＦ状態が急に変化した場合（ドアを閉めるような）、加入者装置は、ＷＡＮネットワークへ切り替える前にＷＬＡＮを介しての位置の更新を送信する機会がなくなる。ＷＬＡＮネットワークのカバー範囲から外れる前に位置の更新が完了しない場合は、ＷＬＡＮの位置情報は不正確になる。その結果、加入者に入ってくるコールはＷＬＡＮによって不正確にルーチングされる。したがって、ＷＬＡＮのカバー範囲を外れた時でさえも情報が更新される、通信システム内での情報更新のための装置や方法へのニーズは存在する。
【課題を解決するための手段】
【０００５】
上記のニーズに対処するために、通信システム内での移動機器の属性を更新する方法と装置を提供する。特に、通信が第１のネットワーク内に存在しない時に、第２のネットワークを介して第１のネットワーク内で移動機器の属性を更新する方法と装置を提供する。動作中に、第１のネットワークは、第１のネットワークからは返事がないＰＳＴＮ電話コールを介して接続される。コール番号やコールの識別情報を基に、第１のネットワークは移動機器の属性を更新する。
【０００６】
本発明は、通信システム内で情報を更新する方法を包含する。本発明は、第１のネットワーク上でメッセージを受信する工程を含む。このメッセージは、短いメッセージサービス（ＳＭＳ）のメッセージ、ｅ‐メール、ＩＰパケット、データコール、ウェブ要求、マルチメディア・メッセージ、プッシュ・ツー・トーク・コール、およびコール警報メッセージからなる群から得られたメッセージである。メッセージを受信した後、そのメッセージから識別情報が決定され、識別情報が特定の移動機器と関連付けられる。受信したメッセージのアドレスに基づいて特定の移動機器の属性情報が更新される。
【０００７】
本発明は、通信システム内の移動機器の属性を更新する方法も含む。この方法は、電話のコールを受け、その電話コールから識別情報を決定し、その識別情報を特定の移動機器と関連付け、受けた電話コールを接続せずにその特定の移動機器の属性を更新する、工程からなる。
【０００８】
更に本発明は、移動機器の位置情報からなる位置データベース、特定の移動機器への発呼者の識別情報をマッピングするマッピング・データベース、その移動機器からのコールを受信する移動管理者、その移動機器への発呼者識別情報に関連するマッピング・データベースへの接続、およびコールと接続を基に位置データベースを更新する、装置を備える。
【発明を実施するための最良の形態】
【０００９】
図に移って、同様な番号は同様な部品を示す。図１はＷＬＡＮ１０３とＷＡＮ１０２のブロックダイアグラムである。本発明の好ましい実施例において、ＷＡＮ１０２は好ましくはＧＳＭシステムプロトコルを用いたセルラネットワークであるが、それには限定されない。ＷＬＡＮ１０３は好ましくは、無線インターネットプロトコル（ＩＰ）を基にした８０２.１１プロトコルであるが、それには限定されない。移動機器１０１は、アップリンク通信信号１０６を介してＷＡＮ１０２とＷＬＡＮ１０３との両方に通信可能なデュアルモードの受信機を備えるのが望ましい。同様に、ＡＮ１０２とＷＬＡＮ１０３とは共にダウンリンク通信信号１０４と１０５を介して、それぞれ移動機器１０１と通信可能である。移動機器１０１はデュアルモードのセルラ電話が好ましいが、移動機器１０１は、パーソナル・デジタル・アシスタント（ＰＤＡ）、パーソナルコンピュータ、あるいはシステムとデュアルモードでゆるく接続して動作するすべての装置（音声、データ、ビデオ）等の他のデュアルモード装置を備えていてもよい、がそれに限定されない。
【００１０】
上述のように、動作中に、移動機器１０１はＷＬＡＮ１０３カバー範囲内ではＷＬＡＮ１０３を使用し、ＷＬＡＮ１０３カバー範囲外ではＷＡＮ１０２を使用する。従ってＷＬＡＮ１０３カバー範囲内のときは、移動機器１０１はアクセス点１１１のいずれか（図１では１点のみを示している）を介してＷＬＡＮ１０３に接続する。すべてのアップリンク／ダウンリンク通信はエンタープライズ・インターネット１１０を介してルーチングされる。特に、ＰＳＴＮ１０８への音声コールの際は、データは移動機器１０１からＰＢＸ１０９へルーチングされる。ＰＢＸでは音声コールは回路切り換えデータに変換されて、ＰＳＴＮ１０８を介してルーチングされる。同様に、データコールの際には、データは移動機器１０１からインターネット１０７へルーチングされる。
【００１１】
明らかなように、ＷＬＡＮ１０３は移動管理装置１１３を備える。動作中、移動管理装置は常に移動機器１０１による位置更新を受けている。この位置更新は代表的には、現在割り当てられているＩＰアドレスと同時に、移動機器１０１が現在ＷＬＡＮ１０２にアクセスしているか否かに関する情報を含む。しかしながら本発明の他の実施例においては、位置情報は緯度／経度、移動機器１０１と通信しているアクセスポイント１１１の識別、その他の地理的情報を含む。位置情報は位置データベース１１２中に格納される。移動管理装置１１３は常にＰＢＸ１０９を更新して、すべての入力情報を移動機器１０１の正確なＩＰアドレスに適切にアドレスする。
【００１２】
ＷＬＡＮ１０３のカバー範囲から離れた時、移動機器１０１はこの事実を移動管理装置１１３に通知する。特に、移動機器１０１が、ＷＬＡＮ１０３のカバー範囲から離れようとしていることを感知すると、移動機器１０１はＷＬＡＮ１０３に再登録メッセージを送って、ＷＡＮ１０２を介して到達し得ることを示す。次に移動機器１０１は、ＷＬＡＮ１０３がその再登録メッセージを聞き入れたことを認識するのを待つ。再登録メッセージを聞いた移動管理装置１１３は、ＰＳＴＮ１０８からＷＬＡＮ１０３に入るデータ／コールはＷＬＡＮによって再ルーチングされて最終的に移動機器１０１に達するように、すべてのルーチング表を適切に更新する。
【００１３】
上述のように、ＷＡＮ１０２とＷＬＡＮ１０３との間のとぎれのない移動のためには、移動機器の位置は常に明確でなければならない。ＷＬＡＮ１０３へのすべてのコールがＷＬＡＮ１０３の外にいる移動機器１０１へ適切にルーチングされることを保証するためには、ＷＬＡＮ１０３からＷＡＮ１０２へハンドオーバーする前に、すべての位置更新がされなければならない。ＷＬＡＮネットワークのカバー範囲から外れる前に位置更新が完了していないと、データベース１１２中の位置情報は不正確になり、その結果、移動機器１０１へ入るコールはＷＬＡＮによって不正確にルーチングされる。
【００１４】
この問題に対処するために、本発明の好ましい実施例では、ＷＬＡＮ１０３は、すべての二重モードの移動体加入者に知られている地球的位置更新ＰＳＴＮ電話番号を割り当てられる。ＲＦの状態によって、位置情報を更新するＷＬＡＮ１０３を使用することが妨害される時は、移動機器１０１はこの番号を無音コールする。ＰＢＸ１０９はそのコールを受信して、その受信したコールから発呼者のＩＤ情報（例えば信号システム７（ＳＳ７）情報）を得る。ＰＢＸ１０９はコールを接続しない。ＰＢＸ１０９は、移動管理装置１１３にコールを通知する。コールを送信するか又はコール識別情報を移動管理装置１１３に提供する。次に、移動管理装置１１３は、発呼者の識別情報から移動機器を識別し、位置データベース１１２を更新して、移動機器１０１はすでにＷＬＡＮに登録されていない、という事実を反映する。次に、コールの接続が外れる。
【００１５】
この解決法は、移動機器１０１はすでにＷＬＡＮ１０３に登録されていないということをＷＬＡＮ１０３に通報する、高速で低コストの方法である。特に、コールはＷＬＡＮ１０３にすでに接続されていないので、再登録コールに置き換えるためのコストは非常に低い。セルラコールの料金は、コールに相手が応答した時に発生する。したがって、コールへの応答がなければ、セルラ電話の料金は発生しない。
【００１６】
図２は、ＷＬＡＮ１０３の動作を示すフローチャートである。上述のように、ＲＦ状態によって、移動機器の位置情報を更新するための正常な再登録手順を使用できなくなった時、移動機器は、ＷＡＮ１０２を介してＷＬＡＮ１０３に無音で自動的に（ユーザに知らせずに）アクセスする。本発明の好ましい実施例において、地球的位置更新ＰＳＴＮ番号はＰＢＸ１０９に割り当てられ、すべての二重モード加入者に知らされている。しかしながら本発明の別の実施例では、コールはＷＡＮから置き換えられたＷＬＡＮ１０３への、短いメッセージサービス（ＳＭＳ）、ｅ‐メール、ＩＰピン、データコール、ウェブ要求、マルチメディア・メッセージ、プッシュ・ツー・トーク・コール、および他の警告メッセージ等、のメッセージを含む。
【００１７】
論理フローは、ＷＬＡＮ１０３が移動機器１０１と通信状態にあるステップ２０１で始まる。上述のように通信は、アクセスポイント１１１を通って無線通信システムプロトコルを介して行われる。さらに、移動機器１０１と通信するために、ＷＬＡＮ１０３は移動機器１０１の位置に関して、常に位置データベース１１２を更新している。ステップ２０３で、ＷＬＡＮ１０３は登録を離脱するためにのみ予約されている電話番号へのＰＳＴＮコールを受信する。続いてステップ２０５で、移動管理装置１１３はコールから発呼者の識別情報を得て、移動機器１０１への発呼者識別情報をマッピングする。本発明の好ましい実施例においては、これはマッピング・データベースにアクセスすることによって完了する。マッピング・データベースは、特定の移動機器への発呼者識別情報をマッピングした簡単な表からなる。移動機器が発呼者識別情報から決定されると、位置データベース１１２は、移動機器１０１はすでにＷＬＡＮ１０３とは関係していないという事実を反映して更新される（ステップ２０７）。
【００１８】
上述のような位置更新は、マルチモードの位置が更新されることを必要としている時のみ簡単に更新される。換言すれば、位置が２つの状態（即ち、ＷＬＡＮ１０３と関係しているか否か）のみからなる場合、このような情報は上述のように更新される。これを念頭におけば、あらゆるマルチモード属性はこの方法で更新される。
【００１９】
図３は移動機器１０１の動作を示すフローチャートである。論理フローは、移動機器がＷＬＡＮに登録されて、ＷＬＡＮのカバー範囲を離脱しようとしていると検知するステップ３０１で始まる。ステップ３０３で、移動機器１０１はＷＬＡＮ１０３に登録取り消しのメッセージを送って、そのメッセージをＷＬＡＮが受信したことの認識を待つ。論理フローは、移動機器１０１がＷＡＮ１０２に登録するステップ３０５に進む。ステップ３０７では、ＷＬＡＮ１０３からの登録取り消しの認識が受信されたか否かを判断する。ステップ３０７で、ＷＬＡＮ１０３からの認識が受信された場合、論理フローはステップ３１１で終わり、さもなければ論理フローは、移動機器１０１がＷＬＡＮと関係している登録取り消し電話の番号にコールするステップ３０９に進む。上述のように、コールには応答されない。論理フローはステップ３１１で終わる。
【００２０】
上記の記載は、電話番号のコールによって更新されるというシステム特性を示しているが、本発明の別例では、コールしてローカルネットワークにアクセスする他の形式も想定されている。例えば、ＷＬＡＮは、短いメッセージサービス（ＳＭＳ）コール、ｅ‐メール、ＩＰピン、データコール、ウェブ要求、マルチメディア・メッセージ、プッシュ・ツー・トーク・コール、コール警報、または、携帯機器がＷＬＡＮ１０３中の機器との接続を始め得るあらゆる方法で、送信することによって更新できる。アクセスの際、「どこどこから」のアドレス情報がメッセージから決定され、特定の移動機器に接続される。「どこどこへ」のアドレス（すなわち、コールされた番号、ｅ‐メールのアドレス、個人ＩＤ等々）を基に、移動機器の属性（例えば、位置情報）がＷＬＡＮ１０２によって更新される。このように、移動機器１０１のマルチモード属性を更新するために、あらゆる接続によるＷＡＮ１０２からＷＬＡＮ１０３へのアクセスが使用され得る。
【００２１】
本発明を、特定の実施例によって示し記載してきたが、本発明の精神や範囲を逸脱せずに形式や詳細の種々の改変は可能である。例えば、ＷＬＡＮ１０３は複数の異なるアドレス（例えば、ｅ‐メールのアドレス、ＰＳＴＮ電話番号等）を備えていて、各アドレスは更新が必要な特定のマルチモード属性と関連していても良い。この状況では、入ってくるメッセージから、「どこどこへ」のアドレスと「どこどこから」のアドレスを判断する論理回路が存在する。「どこどこへ」のアドレスは、更新される必要がある特定のマルチモード属性にマッピングされ、「どこどこから」のアドレスは特定の移動機器へマッピングされる。そのシステムが図４に示されている。ＷＬＡＮ４００は論理回路４０１と複数の属性データベース４０３〜４０５を備える。更にこの例では、ＰＢＸ１０９は、更新され得るマルチモード属性と関連する複数の電話番号を含む。ＰＢＸが予約されている電話番号の１つへのコールを受信すると、コールされた番号と一緒に発呼者のＩＤ情報が論理回路４０１へ入る。論理回路４０１はマッピング・データベース４０２にアクセスして、更新が必要な特定のマルチモード属性に、コールされた番号を接続する。発呼者のＩＤ情報から得られた「どこどこから」の情報は特定の移動機器にマッピングされる。これを基に、適切な属性データベースを更新することによって、移動機器の属性は更新される。上述のように、そのコールは返答されない。
【図面の簡単な説明】
【００２２】
【図１】ＷＬＡＮとＷＡＮのブロックダイアグラム。
【図２】図１のＷＬＡＮの動作を示すフローチャート。
【図３】図１の移動機器の動作を示すフローチャート。
【図４】本発明の別の実施例によるＬＡＮとＷＡＮのブロックダイアグラム。
【図１】
2007523575.tif 000003
【図２】
2007523575.tif 000004
【図３】
2007523575.tif 000005
【図４】
2007523575.tif 000006
【国際調査報告】
2007523575.tif 000007